(57)【要約】【目的】加入者線信号の無瞬断定期切替を容易に可能とする加入者電話交換機を提供する。【構成】本発明による加入者電話交換機は、複数の加入者線信号生成部を含み、該加入者線信号生成部の各々は、該加入者線信号の内容が新たに指定された場合に、当該内容の加入者線信号の送出準備をなすと共に、自系送出準備完了フラグの状態をアクティブに設定し、他の加入者線信号生成部の他系送出準備完了フラグの状態がアクティブであると検知された場合に、基本タイミング信号に同期した１つの同期タイミングを、準備された加入者線信号の送出タイミングに同一に設定する。【選択図】図３
2009081485.tif 000002
【特許請求の範囲】
【請求項１】
互いに同一内容の加入者線信号を送出する複数の加入者線信号生成部と、前記加入者線信号生成部の何れかを選択し、選択した加入者線信号生成部が送出した加入者線信号を加入者電話機に供給するスイッチ部と、前記加入者線信号の内容を指定する制御部と、を含む加入者電話交換機であって、
一定周期のタイミングを与える基本タイミング信号を生成する基本タイミング信号生成手段を含み、
前記加入者線信号生成部の各々は、
前記加入者線信号の内容が新たに指定された場合に、当該内容の加入者線信号の送出準備をなすと共に、自系送出準備完了フラグの状態をアクティブに設定する送出準備手段と、
少なくとも１つの他の加入者線信号生成部における他系送出準備完了フラグの状態を検知する他系状態検知手段と、
前記自系送出準備完了フラグの状態がアクティブであると共に前記他系送出準備完了フラグの状態がアクティブであると検知された場合に、前記基本タイミング信号に同期した１つの同期タイミングを、前記送出準備手段によって準備された加入者線信号の送出タイミングに同一に設定する送出タイミング設定手段と、
を含むことを特徴とする加入者電話交換機。
【請求項２】
前記送出タイミング設定手段は、前記同期タイミングとして、前記自系送出準備完了フラグの状態がアクティブに設定されたタイミングに当該アクティブ状態を前記他の加入者線信号生成部が検知するに足る検知遅延時間分を加えたタイミングを、前記送出タイミングとして設定することを特徴とする請求項１記載の加入者電話交換機。
【請求項３】
前記送出タイミング設定手段は、前記加入者線信号の内容が新たに指定されてから所定時間が経過した場合には、前記他系送出準備完了フラグの状態如何に関わらず、前記同期タイミングを前記送出タイミングとして設定することを特徴とする請求項１または２記載の加入者電話交換機。
【発明の詳細な説明】
【技術分野】
【０００１】
本発明は、加入者電話網に配備され、多重冗長化構成された複数の加入者線信号生成部を含む加入者電話交換機に関する。
【背景技術】
【０００２】
現代社会において電話は非常に重要な社会的インフラとなっており、このため電話網内に配備される交換機には非常に高い信頼性が要求されている。特に装置故障に対しては、故障検出の即時性、その波及範囲の最小化、かつ、復旧時間の最短化が求められており、最悪の事態である交換機のシステムダウンの発生確率を可能な限り低減させる努力が払われている。例えば、本要求を満たすべく、一般に複数の機能要素で構成されている交換機においては、これら各機能要素を現用系と予備系で二重化する冗長構成が採用されている。
【０００３】
しかしながら、交換機の各機能要素を現用系と予備系の二重化で構成したとしても、各機能要素に搭載されている系切替制御回路に関しては、現用系と予備系に搭載されているそれぞれの系切替制御回路同士が協調的、かつ、非対称な動作により系切替を実現するのであるから、系切替制御回路自身に関しては実質的には一重化なのである。よって、系切替制御回路は冗長システムの信頼性を左右する主要因となりうる。
【０００４】
系切替制御回路が装置故障率の支配項になることを回避すべく、交換機の装置設計段階においては、系切替制御回路は必要最低限の回路規模で実現するように配慮されると同時に、交換機の実運用段階においては、各機能要素の現用系と予備系を定期的に切り替えることで、系切替制御回路に故障が潜在化する可能性を排除している。つまり、系切替制御回路の故障により定期系切替ができなかったとしてもエンドユーザに対するサービスは中断されることはなく、故障と疑われる機能要素を予備品と交換すればよいわけである。その際、エンドユーザに対するサービスに瞬断が発生する可能性があるが時間的にはわずかな時間である。逆に、定期切替を実施せず、かつ、系切替制御回路に故障が潜在していたとすると、現用系の機能要素に故障が発生しても予備系に切り替えることができず、保守者が現場に到着して対処するまでの間、これは一般に長時間を要するが、エンドユーザに対するサービスが停止することとなる。ゆえに、交換機における各機能要素の現用系と予備系を定期系的に切り替える行為は、潜在故障の早期発見ならびにエンドユーザに対するサービス停止時間の短縮を可能とし、装置信頼性を高めることに大きく貢献しているのである。
【０００５】
なお、交換機の各機能要素の定期系切替に際しては、通信品質の観点から系切替時に通信中のトラヒックに瞬断が発生しないようにすることが肝要である。その理由として、定期切替を、例えば一日に一回、実施するたびにトラヒックに瞬断が発生すると、音声トラヒックの場合ではクリック雑音が発生し、データトラヒックの場合では通信エラーが発生することにより、通信品質を劣化させることになるからである。このため、交換機では定期系切替時に瞬断が発生しないように様々な工夫がなされており、この技術は無瞬断定期系切替と呼ばれている。ユーザトラヒックに対する無瞬断定期系切替の具体的な実現例については特許文献１が参照される。
【０００６】
ところで、無瞬断系切替は、ユーザトラヒックに対してのみならず制御トラヒックについても考慮されなければならない。制御トラヒックとして加入者交換機が生成する加入者線信号には、周期的に繰り返す周期的加入者線信号と周期性がない非周期的加入者線信号の２種類がある。周期的加入者線信号の例としては、通常の電話の発着信の際に使用される発信音、話中音、呼出音などがある。非周期的加入者線信号の例としては、キャッチホンサービスで使用される通信中着信表示音、ダイヤルインサービスで使用される押しボタンダイヤル信号、ナンバーディスプレイサービスで使用される発信者番号通知などがある。これらの信号の詳細については非特許文献１の第３章及び第４章が参照される。
【特許文献１】特開平９−５５７５２号公報
【非特許文献１】「技術参考資料 電話サービスのインタフェース 第５版、第３章、第４章」、日本電信電話株式会社、
【発明の開示】
【発明が解決しようとする課題】
【０００７】
しかしながら、従来の加入者電話交換機では、現用系及び予備系の加入者線信号生成部間で同一内容の周期的加入者線信号や非周期的加入者線信号を作成することは容易ではない。特に、信号立ち上がりを含めた位相が完全に一致した非周期的加入者線信号を作成することは困難である。
【０００８】
図１を参照すると、発信電話番号通知サービス等における非周期的加入者線信号の定期系切替の様子が示されている。ここで、発信電話番号通知サービスの契約回線に着信があった場合、局用加入者交換機100から契約者の固定電話010に対して、発信者の電話番号をＩＴＵ−Ｔ勧告Ｖ。２３のモデム信号に変調して送出することになっている。
【０００９】
加入者線信号生成部200と300にＶ。２３モデム信号生成機能が具備されていると想定すると、制御部110は、まず、現用系の加入者線信号生成部200に対して契約者に通知すべき発信者電話番号を指示し、次に、予備系の加入者線信号生成部300に対して同一の指示を出す。よって、現用系の生成するＶ。２３モデム信号のほうが予備系のそれよりも若干早く加入者に対して送出されることとなり、当該信号送出中に加入者線信号生成部200と300の間で定期系切替が時分割スイッチ140を用いて実施されると不連続な信号となり、契約者の固定電話に内蔵されているＶ。２３モデム信号受信器011で正常に受信できない可能性がある。これを回避するには、加入者線信号生成部200または300から非周期的加入者線信号を送出している最中の定期系切替を禁止すればよい。
【００１０】
しかしながら、一般に、加入者線信号生成部は多チャンネル処理しており、全チャネルが非周期的加入者線信号を送出していないことを確認した上で定期系切替を実施することは処理チャネルの多重度が増加するにつれ実現困難となると同時に、通信事業者にとって定期系切替の実施時刻がその時々の通信トラヒックの状況に応じて揺らぐことは、装置管理上許容し難いことである。
【００１１】
したがって従来は、非周期的加入者線信号を生成する機能要素は、周期的加入者線信号を生成する機能要素と独立した機能要素として実現し、定期系切替の対象外としていた。この場合、現用系の非周期的加入者線信号を生成する機能要素が故障したときに限り、予備系に切り替わるので、予備系および系切替制御回路の潜在故障を事前に検出することが困難になるという問題があった。
【００１２】
本発明は上記した問題点に鑑みてなされたものであり、その目的は、加入者線信号の無瞬断定期切替を容易に可能とする加入者電話交換機を提供することである。
【課題を解決するための手段】
【００１３】
本発明による加入者電話交換機は、互いに同一内容の加入者線信号を送出する複数の加入者線信号生成部と、該加入者線信号生成部の何れかを選択し、選択した加入者線信号生成部が送出した加入者線信号を加入者電話機に供給するスイッチ部と、該加入者線信号の内容を指定する制御部と、を含む加入者電話交換機であって、一定周期のタイミングを与える基本タイミング信号を生成する基本タイミング信号生成手段を含み、該加入者線信号生成部の各々は、該加入者線信号の内容が新たに指定された場合に、当該内容の加入者線信号の送出準備をなすと共に、自系送出準備完了フラグの状態をアクティブに設定する送出準備手段と、少なくとも１つの他の加入者線信号生成部における他系送出準備完了フラグの状態を検知する他系状態検知手段と、該自系送出準備完了フラグの状態がアクティブであると共に該他系送出準備完了フラグの状態がアクティブであると検知された場合に、該基本タイミング信号に同期した１つの同期タイミングを、該送出準備手段によって準備された加入者線信号の送出タイミングに同一に設定する送出タイミング設定手段と、を含むことを特徴とする。
【発明の効果】
【００１４】
本発明による加入者電話交換機によれば、加入者線信号の無瞬断系切替が、周期的加入者線信号のみならず非周期的加入者線信号についても容易に実現される。
【発明を実施するための最良の形態】
【００１５】
本発明の実施例について添付の図面を参照しつつ詳細に説明する。
【００１６】
図２は、本発明の実施例を示し、本発明による加入者電話交換機の構成を示している。かかる構成により、周期的加入者線信号の無瞬断定期系切替が可能となる。図２において、電話機010は加入者線151を介して加入者交換機100の加入者線終端部150に収容されている。時分割スイッチ140には、シリアル伝送バス152、201、301を介して、加入者線終端部150、＃１系の加入者線信号生成部200、および、＃０系の加入者線信号生成部300が接続されている。基本タイミング信号生成部160は、ここには記載されていない電話網と併設されているクロック網から交換機の基本タイミング信号である６４ｋＨｚクロック信号161と８ＫＨｚフレーム信号162を受信しており、内蔵するフェーズロックドループを使用してこれらと同一の周波数と位相を有する６４ＫＨｚクロック信号163と８ＫＨｚフレーム信号164を生成し、加入者交換機100の各機能要素110、200、300、140、150に供給している。
【００１７】
加入者交換機100の制御部110は、制御バス111を介して下位装置である各機能要素200、300、140、150、160と接続され、これら各機能要素の制御ならびに管理を実施している。＃１系の加入者線信号生成部200と＃０系の加入者線信号生成部300は、いずれか一方が現用系、他方が予備系として運用され、これらの間は系間交絡信号202と302で互いに接続されている。図２では、＃１系が現用系、＃０系が予備系となっている。なお、実際の交換機では、制御部110、時分割スイッチ140、および、基本タイミング信号生成部160もそれぞれ二重化の冗長構成を有しているが、図２では説明の便宜上、予備系は省略されている。本実施例では、２つの加入者線信号生成部200及び300が示されているが、本発明はかかる限定はなく２つ以上の加入者線信号生成部を含んでもよい。
【００１８】
＜周期的加入者線信号の無瞬断定期系切替＞
現用系の加入者線信号生成部200は、基本タイミング信号生成部160から供給されるタイミング信号163と164に基づいて、各種周期的加入者線信号と同等の時間周期を有するインターバル信号を生成する。例えば、話中音のインターバルは１秒、呼び出し音のインターバルは3秒である。これらインターバル信号は系間交絡信号202を介して予備系の加入者線信号生成部300に供給され、予備系は現用系と同一位相を有するインターバル信号を生成する。これにより、現用系と予備系の加入者線信号生成部200と300は位相と周波数が完全に同期した周期的加入者線信号を生成することが可能となり、これらの信号はシリアル伝送バス201と301を介して時分割スイッチ140に供給され、時分割スイッチ140は現用系からのシリアル伝送バス201に重畳されている周期的加入者線信号を選択し、当該信号をシリアル伝送バス152を介して加入者線終端部150に供給し、さらに加入者線151を介して電話機010に供給されることになる。
【００１９】
よって、制御部110からの指令により任意の時間に加入者線信号生成部200と300の系切替、つまり、＃１系の加入者線信号生成部200が現用系から予備系、＃０系の加入者線信号生成部300が予備系から現用系に切り替わっても、周期的加入者線信号の瞬断が発生することはないのである。なお、系切替により、今度は、各種インターバル信号は＃０系の加入者線信号生成部300から＃１系の加入者線信号生成部200に対して系交絡信号302を介して供給されることとなる。なお、インターバル信号はもともと＃１系の加入者線信号生成部200が生成するタイミングに同期していたのであるから、系切替によって何らタイミングがずれることはない。なお、周期的な加入者線信号の生成機能が時分割スイッチ機能と同一機能要素内に具備される場合もあるが、かかる場合にも系切替によって何らタイミングがずれることはない。
【００２０】
＜非周期的加入者線信号の無瞬断定期系切替＞
図３は、非周期的加入者線信号の無瞬断定期系切替を可能とする加入者線信号生成部の構成を示している。本図においては、図２に示された加入者線信号生成部200及び加入者線信号生成部300のみが示されている。加入者線信号生成部200及び加入者線信号生成部300の何れか一方が現用系として運用され他方が待機系として運用される。
【００２１】
以下では、加入者線信号生成部200の機能及び動作が主に説明されるが、加入者線信号生成部300も同様の機能を備え同様の動作を行う。加入者線信号生成部200は、コマンド解析器210と、加入者線信号生成器220と、シリパラ変換器230と、フェーズロックドループ240とを含む。加入者線信号生成部200の構成は、ハードウェアで実現することも可能であるし、フェーズロックドループ以外は汎用のディジタル信号処理プロセッサを採用することでファームウェアで実現することも可能である。
【００２２】
フェーズロックドループ240が出力するクロック信号241は、加入者線信号生成部200の内部の各機能要素に供給されており、その周波数は、64KHzクロック信号161と同期した整数倍または整数分の１倍の周波数であり、かつ、その波形の立ち上がりエッジもしくは立下りエッジは、６４ＫＨｚクロック信号161のエッジと所定許容偏差の範囲内で一致している。クロック信号241の中に８ＫＨｚのクロック信号も含まれることになるが、その周波数と位相も、８ＫＨｚフレーム信号162とそれとある許容偏差の範囲内で一致している。６４ＫＨｚクロック信号161と８ＫＨｚフレーム信号162は、他系の加入者線信号生成部300にも供給されているので、これにより、加入者線信号生成部200の各種内部動作のタイミングは、フェーズロックドループ240と340が保証するある許容偏差の範囲内で一致させることが可能となっている。換言すると、論理回路の動作の観点からは、タイミングが同一位相であることが保証されている。以後の説明では、このことを前提としている。
【００２３】
＜加入者線信号生成部の動作＞
以下では、加入者線信号生成部200の動作を主体にして説明するが、加入者線信号生成部300も同様に動作するものとする。また、いずれか一方が現用系であり、他方は予備系となっている。
【００２４】
加入者交換機100から電話機010に対して加入者線信号を送出するとき、加入者交換機100の制御部110は制御バス111を介して加入者線信号生成部200と300の各々に対して、当該加入者線信号の送出命令を時間差を伴って別々に発行することになる。もちろん、制御バスに何らかの工夫を施し、両系の加入者線信号生成部200と300に対して命令を同時発行できるメカニズムを持たせることは技術的に可能ではあるが、しかしそれだけでは、両系の加入者線信号生成部200と300において、８ＫＨｚの時間分解能レベルで同一位相の加入者線信号を生成することを保証することは不可能である。
【００２５】
当該命令を受けたコマンド解析器210は、当該命令が加入者線信号送出命令であることを認識すると、当該命令に含まれている各種情報、例えば、加入者に送出すべき押しボタンダイヤル信号の全桁に関する情報ならびに当該加入者のチャネル番号等を加入者線信号生成器220に受け渡す。
【００２６】
当該情報を受け取った加入者線信号生成器220は、加入者に送出すべき加入者線信号の生成と当該信号を加入者に送出する準備、もしくは、送出すべき加入者線信号の生成後に当該信号を加入者に送出する準備をする。ここでの前者と後者の意味を説明する。既存固定電話網で採用されている音声信号の標本化周波数は８ＫＨｚであり、前者は、８ＫＨｚの周期、つまり、１２５μ秒ごとに加入者線信号を生成および送出することを意味しており、後者は加入者に送出すべき非周期的加入者線信号を、例えば、１０桁の押しボタンダイヤル信号を前もってすべて生成して保持しておき、加入者への送出に関しては１２５μ秒ごとに実施することを意味している。周期的加入者線信号に関しては制御部110がその送出開始契機と送出停止契機を加入者線信号生成部200と300に通知するので前者が適しており、非周期的加入者線信号に関しては制御部110がその送出指示のみを加入者線信号生成部200と300に通知するので後者が適している。本発明は、両者に対応可能となっている。
【００２７】
加入者線信号生成器220は、指定された加入者への加入者線信号送出の準備が完了すると、他系の加入者線信号生成部300に対して準備が完了したことを通知する。これは、次のように実施される。加入者線信号生成器220の処理多重度をＮとし、図４に示すＮビットで構成される送出準備完了フラグを用意しておく。これは、０チャンネルからＮ−１チャネルまでの加入者に送出すべき加入者線信号の送出準備が完了したか、否かを表している。ここでは、各ビットの値を０／１（アクティブ）＝送信準備未完了／完了と定義する。送出準備完了フラグは、同一の加入者に対して同時に複数の加入者線信号を送出することはあり得ないことから、加入者ごとに１ビット用意すればよく、多重処理可能な最大加入者数をＮとすると、Ｎチャネル分のＮビットが準備される。送出準備完了フラグには、さらに、パリティなどの誤り検出情報が付加されてもよい。
【００２８】
加入者線信号生成器220は、加入者線信号の送出準備完了後に、該当する加入者チャネル番号のビットを１に設定する。このＮビットで構成される送出準備完了フラグは、パラレル伝送バス221を介して、シリパラ変換器230に提供される。シリパラ変換器230は、加入者線信号生成器220から受信したＮビットで構成される送出準備完了フラグのパラレルデータをシリアルデータに変換してシリアル伝送バス202を介して、他系のシリパラ変換器330に送出する。
【００２９】
シリパラ変換器230が設置される理由は、現用系と予備系の間の信号線数を抑制することで系切替制御回路の故障率の低減を図ることにある。なお、他系にシリアルデータを送信中に、加入者線信号生成器220から新たなパラレルデータがシリパラ変換器230に書き込まれても、即座にシリアルデータに変換されることを防ぐ手段が講じられる必要がある。これは一般のシリアルＩ／Ｏで採用されている既知のダブルバッファ構造で実現可能である。
【００３０】
逆の動作として、シリパラ変換器230は、他系からの同じくＮビットで構成される送出準備完了フラグをシリアル伝送バス302を介して受信し、これをパラレルデータに変換後、パラレル伝送バス222を介して加入者線信号生成器220に通知する。加入者線信号生成器220は、自系と他系の送信準備完了フラグが共に１となっていることが確認できた時点で、指定された加入者に対して指定された加入者線信号をシリアル伝送バス301を介して時分割スイッチ140（図２参照）に向けて送出開始すると同時に、対応する送信準備完了フラグのビットを０に設定する。
【００３１】
なお、他系の加入者線信号生成部300でも上記と同様の動作が実施されるので、両系の加入者線信号生成部において、加入者線信号の生成ならびに送出は８ＫＨｚの時間分解能レベルで完全に同期が取れることとなる。
【００３２】
図５は、加入者電話交換機における加入者線信号生成動作の様子を示している。図５では加入者線信号生成部の処理多重度は１としており、また、両系の加入者線信号生成部200及び300の内部動作タイミングを、同一位相の８ＫＨｚの周期（１２５μｓｅｃ）に同期させている。実際には、加入者線信号生成部200及び300の内部動作を１２５μｓｅｃの整数倍もしくは整数分の１倍に同期させてもよい。電話網の標本化周波数が８ＫＨｚであることを考慮すると、等価的に図４のようにすべて８ＫＨｚの周期（１２５μｓｅｃ）に同期した動作に見せかけることが可能である。
【００３３】
図５を参照して加入者線信号生成動作の様子を説明すると、制御部110は、加入者線信号の内容を指定する送出命令、すなわちコマンドを＃１系の加入者線信号生成部200に発行する（ステップＳ１）。発行されたコマンドに応じて、＃１系の加入者線信号生成部200はコマンド解析を行い（ステップＳ２）、これに対応した加入者線信号を生成した後に送出準備完了フラグを１にセットする（ステップＳ３）。次いで、制御部110は、同様のコマンドを＃０系の加入者線信号生成部300に発行する（ステップＳ４）。＃０系の加入者線信号生成部300はコマンド解析を行い（ステップＳ５）、これに対応した加入者線信号を生成した後に送出準備完了フラグを１にセットする（ステップＳ６）。
【００３４】
＃１系の加入者線信号生成部200が送出準備完了フラグを１にセットすることにより、シリアル伝送バス202における送出準備完了フラグがタイミングT1の時点で１となる。これに応じて、加入者線信号生成部300内のパラレル伝送バス322における送出準備完了フラグがタイミングT2の時点で１となる。一方、＃０系の加入者線信号生成部300が送出準備完了フラグを１にセットすることにより、シリアル伝送バス302における送出準備完了フラグがタイミングT2の時点で１となる。これに応じて、加入者線信号生成部200内のパラレル伝送バス222における送出準備完了フラグがタイミングT4の時点で１となる。
【００３５】
図５から明らかなように、加入者線信号生成部200と300とでは、自系と他系の送出準備完了フラグが共に１となるタイミングが異なっている。すなわち、加入者線信号生成部300では、シリアル伝送バス302における自系の送出準備完了フラグとパラレル伝送バス322における他系の送出準備完了フラグとが共に１となるのはタイミングT2の時点である。一方、加入者線信号生成部200では、シリアル伝送バス202における自系の送出準備完了フラグとパラレル伝送バス222における他系の送出準備完了フラグとが共に１となるのはタイミングT4の時点である。タイミングT2はタイミングT4より８ＫＨｚの１フレーム分早く、加入者線信号生成部300のほうが１フレーム分早く両系が送出準備完了していることを認識し得ることになる。これは、フラグ情報が他系に通知されてから他系がこれを検知するまでの検知遅延時間に依存して発生する現象である。図５では、この遅延は８ＫＨｚフレーム換算で２フレームとしている。
【００３６】
そこで、加入者線信号生成部200及び300は、自系の送出準備完了フラグが１になってから２フレーム以上経過していないときは、他系の送出準備完了フラグが１になっていても加入者線信号の送出は抑止し、自系の送出準備完了フラグが１になってから２フレーム以上経過したタイミングで送出を開始する調整を行う。図５に示される状態に則して説明すると、加入者線信号生成部300は、自系と他系の送出準備完了をタイミングT3で検知するが、シリアル伝送バス302における自系の送出準備完了フラグが１になってからの経過時間が２フレーム未満なので、１フレームの待ち時間が経過したタイミングT6で加入者線信号を送出する（ステップＳ８）。一方、加入者線信号生成部200は、自系と他系の送出準備完了をタイミングT5で検知するが、シリアル伝送バス202における自系の送出準備完了フラグが１になってから２フレーム以上経過しているので、次フレームのタイミングT6で加入者線信号を送出する（ステップＳ７）。結果的に、両系の同期タイミングは、加入者線信号生成部200及び300の送出準備完了フラグの双方が１にセットされたタイミングT2から２フレーム分経過したタイミングT6となって、両系において信号の立ち上がりを含めて位相が完全に一致した信号送出が達成される。
【００３７】
また、何らかの障害により他系が加入者線信号を送出できない場合に対処する形態が準備されてもよい。例えば、各加入者線信号生成部は、自系の送出準備完了フラグを１に設定する際に適切な値（例えば、３フレーム分の時間）が設定されたタイマーを準備し、該タイマーが満了しても他系のフラグが１にならないときに他系の状態に関わらず自系から加入者線信号を送出してもよい。さらに、当該加入者線信号生成部は、制御部110にタイマーオーバフローの事象が発生し、他系に何らかの障害が発生したことを通知するようにしてもよい。これにより、運用の信頼性をより高めることができる。
【００３８】
以上の実施例から明らかなように、加入者電話交換機の機能要素である非周期的な加入者線信号を生成する現用系と予備系の加入者線信号生成部において、本発明を適用することにより、両系の加入者線信号生成部で互いに時間的に同期した非周期的な加入者線信号を生成することが可能となる。これにより、当該信号を電話機に向けて送出中に加入者線信号生成部の定期系切替を実行しても当該信号の連続性を保証でき、通信品質の劣化を招くことはない。したがって、定期系切替の実施により、非周期的加入者線信号生成部の潜在故障の早期発見が可能となると同時に、当該装置の両系ダウンによるサービス停止時間を低減させることが可能となる。
【００３９】
また、本発明は、周期的加入者線信号と非周期的加入者線信号の両方の信号を現用系と予備系の両装置間で同期して生成、ならびに、電話加入者に向けて送出させることが可能となっている。したがって、周期的加入者線信号を生成する機能要素と非周期的加入者線信号を生成する機能要素を同一の機能要素で実現することが可能となり、装置規模の縮小、装置コストの低減、装置管理の簡易化に寄与することができる。
【産業上の利用可能性】
【００４０】
本発明は、既存の電話交換網の加入者電話交換機に適用できると同時に、既存固定電話機をVoIP（Voice over IP）網に収容するVoIPゲートウェイにも適用可能である。
【図面の簡単な説明】
【００４１】
【図１】従来技術における非周期的加入者線信号の系切替の様子を説明する説明図である。
【図２】本発明の実施例を示し、本発明による加入者電話交換機の構成を示すブロック図である。
【図３】図１に示した加入者線信号生成部の構成を示すブロック図である。
【図４】送出準備完了フラグの構成を示すブロック図である。
【図５】加入者電話交換機の動作の様子を示すタイムチャートである。
【符号の説明】
【００４２】
010  加入者電話機
100  加入者電話交換機
110  制御部
111  制御バス
140  時分割スイッチ
150  加入者線終端部
160  基本タイミング信号生成部
200、300  加入者線信号生成部
210、310  コマンド解析器
220、320  加入者線信号生成器
230、330  シリパラ変換器
240、340  フェーズロックドループ
【図１】
2009081485.tif 000003
【図２】
2009081485.tif 000004
【図３】
2009081485.tif 000005
【図４】
2009081485.tif 000006
【図５】
2009081485.tif 000007